(57)【要約】【課題】プレシックナの濾過スクリーンの早期破損を防止する。【解決手段】中心線Ｏ回りに回転する外バスケット１と、外バスケット１と一体回転して中心線Ｏ方向に進退する内バスケット２と、これらの内周の円筒状濾過スクリーン１Ｂ、２Ｂと、内バスケット２の前進方向側から後退方向にスラリーを供給するスラリー供給管４と、その開口端部４Ａに対向して内バスケット２内に配設される押出板５と、押出板５に前進方向に間隔をあけて支持され、開口端部４Ａを取り囲んで外周側に延びるディストリビュータ６と、押出板５の前進方向を向く側面にディストリビュータ６の外周を取り囲むように配設され、前進方向側に向けて外周側に傾斜する傾斜濾過スクリーン７Ａを有するプレシックナ７を備え、傾斜濾過スクリーン７Ａは、ディストリビュータ６の後退方向の端縁より後退方向側ではプレシックナ７内周に露出していない。【選択図】図１
2014091093.tif 000002
【特許請求の範囲】
【請求項１】
円筒状をなして中心線回りに回転させられる外バスケットと、この外バスケット内に同軸に配置されて一体に回転させられるとともに上記外バスケットに対して上記中心線方向に進退させられる内バスケットと、これら内外バスケットの内周面に設けられた円筒状濾過スクリーンと、上記内バスケットの上記外バスケットに対する前進方向側から後退方向に向けて上記内バスケット内にスラリーを供給するスラリー供給管と、上記外バスケットに支持されて上記スラリー供給管の開口端部に対向するように上記内バスケット内に配設される押出板と、上記押出板に上記前進方向に間隔をあけて支持され、上記スラリー供給管の開口端部を取り囲んで外周側に延びるディストリビュータと、上記押出板の上記前進方向を向く側面に上記ディストリビュータの外周を取り囲むように配設され、上記前進方向側に向かうに従い外周側に向けて傾斜する傾斜濾過スクリーンが設けられたプレシックナとを備え、上記傾斜濾過スクリーンは、上記ディストリビュータの上記後退方向の端縁よりも上記後退方向側においては、上記プレシックナの内周に露出していないことを特徴とする押出式遠心分離機。
【請求項２】
上記傾斜濾過スクリーンは上記押出板の上記側面から上記前進方向に延びるように配設されるとともに、上記プレシックナにおける上記傾斜濾過スクリーンの内周は、上記側面から上記前進方向において少なくとも上記ディストリビュータの上記後退方向の端縁までの範囲がカバーによって被覆されていることを特徴とする請求項１に記載の押出式遠心分離機。
【請求項３】
上記プレシックナは、上記押出板の上記側面から上記前進方向において少なくとも上記ディストリビュータの上記後退方向の端縁までの範囲に延びる壁部を備え、上記傾斜濾過スクリーンは上記壁部の上記前進方向側の縁部からさらに上記前進方向に延びていることを特徴とする請求項１に記載の押出式遠心分離機。
【請求項４】
上記ディストリビュータの外周面は、上記傾斜濾過スクリーンに対向して上記前進方向側に向かうに従い外周側に向けて傾斜していることを特徴とする請求項１から請求項３のうちいずれか一項に記載の押出式遠心分離機。
【請求項５】
上記ディストリビュータは、上記後退方向に延出する延出部を上記スラリー供給管の開口端部よりも外周側に備え、上記延出部の内周面は、少なくとも上記後退方向側が上記中心線を中心とした円筒面状とされていることを特徴とする請求項１から請求項４のうちいずれか一項に記載の押出式遠心分離機。
【発明の詳細な説明】
【技術分野】
【０００１】
本発明は、遠心力を利用してスラリーの固液分離を行う押出式遠心分離機に関するものである。
【背景技術】
【０００２】
このような押出式遠心分離機としては、中心線回りに回転させられる外バスケットと、この外バスケット内に同軸に配置されて一体に回転させられるとともに外バスケットに対して中心線方向に進退させられる内バスケットとを備え、スラリーの供給管から固液分離するスラリーを、外バスケットに支持されて上記スラリー供給管の開口端部に対向するように内バスケット内に配設された押出板と、この押出板との間に間隔をあけて上記供給口を取り囲むように配設された円環板状のディストリビュータ（分散装置）との間に供給するようにしたものが知られている。
【０００３】
上記構成の押出式遠心分離機では、押出板とディストリビュータとの間に供給されたスラリーは、内バスケットの外バスケットに対する進退によって内外バスケットの前進方向側に順次送り出されつつ、内外バスケットの内周面に設けられた円筒状濾過スクリーンにおいて遠心力により濾過されて固液分離され、液分は外バスケットの外周を取り囲むケーシング内で回収される。また、円筒状濾過スクリーンの内周に堆積した固形分は、内バスケットの進退によってケーシング内の前進方向側の端部から排出される。
【０００４】
ここで、特許文献１には、このような押出式遠心分離機において、押出板の上記前進方向を向いて上記供給口に対向する側面に、スラリー供給管に向かう方向でほぼ発散状態で延在する前段加速漏斗を設け、この前段加速漏斗が前段加速スクリーンとして設計されたものが提案されている。この特許文献１に記載の押出式遠心分離機では、上記前段加速漏斗が、スラリーが内バスケットの円筒状濾過スクリーンに達する前に前段加速スクリーンによって予備的に濃縮するプレシックナとして機能し、例えば結晶系のスラリーを固液分離する際に結晶の破砕防止効果が期待される。
【先行技術文献】
【特許文献】
【０００５】
【特許文献１】特開２００４−３５１４１１号公報
【発明の概要】
【発明が解決しようとする課題】
【０００６】
ところが、この特許文献１に記載の押出式遠心分離機では、上記押出板とディストリビュータとの間に供給されたスラリーが、高速で回転する前段加速スクリーンに遠心力によって直接衝突することになる。あるいは、この特許文献１に記載されているように、ディストリビュータを押出板に向かう方向で円錐状に発散して略一定の開口角度で延在する取り入れ漏斗とした場合でも、スラリーはこの取り入れ漏斗の内周面を通ってやはり遠心力により前段加速スクリーンに衝突することになる。このため、スラリーの固形分が硬度の高い物質や比重の大きな物質、あるいは粒径の大きな物質の場合には、この衝突による疲労破壊によって前段加速スクリーンが早期に破損してしまうおそれがあった。
【０００７】
本発明は、このような背景の下になされたもので、供給されたスラリーを予備的に濃縮するプレシックナを備えた押出式遠心分離機において、このプレシックナの濾過スクリーンの早期の破損を防止することが可能な押出式遠心分離機を提供することを目的としている。
【課題を解決するための手段】
【０００８】
上記課題を解決して、このような目的を達成するために、本発明は、円筒状をなして中心線回りに回転させられる外バスケットと、この外バスケット内に同軸に配置されて一体に回転させられるとともに上記外バスケットに対して上記中心線方向に進退させられる内バスケットと、これら内外バスケットの内周面に設けられた円筒状濾過スクリーンと、上記内バスケットの上記外バスケットに対する前進方向側から後退方向に向けて上記内バスケット内にスラリーを供給するスラリー供給管と、上記外バスケットに支持されて上記スラリー供給管の開口端部に対向するように上記内バスケット内に配設される押出板と、上記押出板に上記前進方向に間隔をあけて支持され、上記スラリー供給管の開口端部を取り囲んで外周側に延びるディストリビュータと、上記押出板の上記前進方向を向く側面に上記ディストリビュータの外周を取り囲むように配設され、上記前進方向側に向かうに従い外周側に向けて傾斜する傾斜濾過スクリーンが設けられたプレシックナとを備え、上記傾斜濾過スクリーンは、上記ディストリビュータの上記後退方向の端縁よりも上記後退方向側においては、上記プレシックナの内周に露出していないことを特徴とする。
【０００９】
このように構成された押出式遠心分離機においては、プレシックナの傾斜濾過スクリーンが、ディストリビュータの後退方向の端縁よりも内バスケットの後退方向側においてはプレシックナの内周に露出しておらず、言い換えればディストリビュータの後退方向の端縁よりも内バスケットの前進方向側においてのみ、傾斜濾過スクリーンがプレシックナの内周に露出してスラリーを予備的に濃縮することになる。
【００１０】
従って、供給口の開口端から供給されたスラリーがディストリビュータと押出板との間を通って遠心力によりプレシックナに到達しても、このプレシックナの傾斜濾過スクリーンにそのまま衝突することは避けることができる。このため、高硬度の物質や比重、粒径の大きな物質を含むスラリーを固液分離する場合でも、疲労破壊による傾斜濾過スクリーンの早期の破損を防止することができる。
【００１１】
ここで、このように傾斜濾過スクリーンを、ディストリビュータの後退方向の端縁よりも内バスケットの後退方向側においてプレシックナ内周に露出させずに、押出板に配設するには、第１に、傾斜濾過スクリーンを押出板の上記側面から上記前進方向に延びるように配設するとともに、プレシックナにおける傾斜濾過スクリーンの内周を、上記側面から上記前進方向において少なくとも上記ディストリビュータの後退方向の端縁までの範囲でカバーによって被覆すればよい。
【００１２】
また、第２には、プレシックナに、押出板の上記側面から上記前進方向において少なくとも上記ディストリビュータの後退方向の端縁までの範囲に延びる壁部を備えて、傾斜濾過スクリーンは、この壁部の上記前進方向側の縁部からさらに上記前進方向に延びるように配設してもよい。いずれの場合も、カバーやプレシックナの壁部によって傾斜濾過スクリーンがディストリビュータの後退方向の端縁までの範囲に露出するのを避けることができ、さらにこれらカバーや壁部においてスラリーは遠心力により加速されてから傾斜濾過スクリーンに達するので、スラリーと傾斜濾過スクリーンとの速度差を小さくしてスラリーが傾斜濾過スクリーンに達したときの衝撃の緩和を図ることができる。
【００１３】
さらに、ディストリビュータの外周面を、上記傾斜濾過スクリーンに対向して上記前進方向側に向かうに従い外周側に向けて傾斜させることにより、これらディストリビュータの外周面と傾斜濾過スクリーンとの間のスラリーや固形分の流路を制限することができる。このため、濃縮されたスラリー中の固形分が傾斜濾過スクリーンにおいて跳ね上がるように飛散して固形分中の結晶等が破砕されるのを防ぐことができる。
【００１４】
また、ディストリビュータに、上記後退方向に延出する延出部を上記スラリー供給管の開口端部よりも外周側に備え、この延出部の内周面を、少なくとも上記後退方向側が上記中心線を中心とした円筒面状とすることにより、この延出部の内周面でスラリーを一旦保持してから分散させることができる。このため、プレシックナに向けて均一にスラリーを分散させて供給することができ、スラリーが偏って供給されることによってプレシックナに破損が生じたりするのも避けることができる。
【発明の効果】
【００１５】
以上説明したように、本発明によれば、押出式遠心分離機におけるプレシックナにおいて、スラリーを予備的に濃縮する傾斜濾過スクリーンがスラリーとの衝突によって早期に破損するのを防ぐことができ、長期に亙って安定したスラリーの固液分離を図ることが可能となる。
【図面の簡単な説明】
【００１６】
【図１】本発明の第１の実施形態を示す内外バスケットの中心線に沿った断面図である。
【図２】本発明の第２の実施形態を示す内外バスケットの中心線に沿った断面図である。
【図３】本発明の第３の実施形態を示す内外バスケットの中心線に沿った断面図である。
【図４】本発明の第４の実施形態を示す内外バスケットの中心線に沿った断面図である。
【図５】本発明の第５の実施形態を示す内外バスケットの中心線に沿った断面図である。
【発明を実施するための形態】
【００１７】
図１ないし図５は、それぞれ本発明の第１ないし第５の実施形態を示すものであり、互いに共通する要素には同一の符号を配してある。これらの実施形態において、外バスケット１は横向きに配置された中心線Ｏを中心とした有底の円筒状をなしており、その底部から中心線Ｏと同軸に延びる円管状の軸部１Ａを介して図示されない回転駆動装置に連結され、中心線Ｏ回りに高速回転可能に支持されている。なお、この外バスケット１は、中心線Ｏ方向の移動は拘束されている。
【００１８】
また、この外バスケット１内には、外バスケット１の内径よりも僅かに小さな外径で、中心線Ｏ方向の長さが外バスケット１よりも短くされた、やはり有底の円筒状の内バスケット２が、その底部を外バスケット１の底部に向けて中心線Ｏと同軸に収容されている。この内バスケット２は、その底部から中心線Ｏに沿って延びて上記軸部１Ａ内に収容される円柱状の軸部２Ａを介して、上記回転駆動装置に連結されて外バスケット１と等速で同方向に回転可能に支持されている。
【００１９】
また、この内バスケット２の軸部２Ａには、やはり図示されないシリンダ装置が連結されており、軸部２Ａを介して内バスケット２は外バスケット１に対して中心線Ｏ方向に一定のストロークで進退可能とされている。外バスケット１の上記底部から円筒部の開口部に向かう図１ないし図５において右方向が内バスケット２の外バスケット１に対する前進方向であり、逆に底部に向かう図１ないし図５において左方向が後退方向である。
【００２０】
なお、外バスケット１の外周はケーシング３によって覆われているとともに、このケーシング３内の中心線Ｏ方向における外バスケット１の円筒部の両端の位置には、外バスケット１の外周面に向けてそれぞれ仕切り壁３Ａが設けられており、これらの仕切り壁３Ａの間の部分はスラリーから固液分離された濾液の排出室３Ｂとされる。また、上記前進方向側の仕切り壁３Ａよりもさらに前進方向側の部分は、固液分離された固形分の排出室３Ｃとされる。
【００２１】
これら内外バスケット１、２の円筒部の上記前進方向側の部分における内周面には、ウェッジワイヤースクリーンやプレートスクリーンなどのスクリーンよりなる円筒状濾過スクリーン１Ｂ、２Ｂがそれぞれ設けられている。また、内外バスケット１、２の円筒部には多数の貫通穴１Ｃ、２Ｃが径方向に貫通するように形成されており、円筒状濾過スクリーン１Ｂ、２Ｂの間隙部分は、内外バスケット１、２の円筒部に形成された貫通穴１Ｃ、２Ｃにそれぞれ連通させられている。
【００２２】
さらに、ケーシング３内には、円管状のスラリー供給管４が上記前進方向側の上部から鉛直下向きに挿通されて、回転する内外バスケット１、２等と干渉しないようにケーシング３に固定されている。このスラリー供給管４は、ケーシング３内で下方に向かうに従い上記前進方向側から後退方向に向かうように傾斜して延び、図４に示す第４の実施形態では中心線Ｏに達したところで後退方向に向けて開口させられて開口端部４Ａとされる一方、図１ないし図３および図５に示す第１ないし第３および第５の実施形態ではこの中心線Ｏに達した位置からさらに上記中心線Ｏに沿って後退方向に延びて後退方向に開口させられ、この部分が開口端部４Ａとされている。
【００２３】
また、内バスケット２には、その底部にも上記中心線Ｏに平行に複数の貫通穴２Ｄが周方向に等間隔に形成されている。一方、外バスケット１の底部には、中心線Ｏに対する径方向および周方向において上記貫通穴２Ｄにそれぞれ対応した位置に、支持軸１Ｄが中心線Ｏに平行に上記前進方向に延びるように取り付けられて貫通穴２Ｄに挿通されている。さらに、これらの支持軸１Ｄの前進方向側の端部には、内バスケット２の内径よりも小さな外径の中心線Ｏを中心とした円板状をなす押出板５が中心線Ｏに垂直に取り付けられて内バスケット２内に配設されている。
【００２４】
従って、この押出板５は、上記スラリー供給管４の開口端部４Ａに対しては、中心線Ｏに沿ってその後退方向側に対向して外バスケット１に支持されることになり、これらスラリー供給管４と押出板５との間隔は変化することはない。また、内バスケット２の進退のストロークは、内バスケット２の底部がこの押出板５と外バスケット１の底部とに干渉しない範囲とされている。
【００２５】
さらにまた、第１ないし第５の実施形態では、上記押出板５の前進方向を向く側面に、スラリー供給管４の後退方向を向く上記開口端部４Ａを取り囲んで外周側に延びるディストリビュータ（分散装置）６が、この押出板５の前進方向を向く側面と間隔をあけて支持軸５Ａにより支持されて取り付けられている。ここで、これら第１ないし第５の実施形態のうち、図５に示す第５の実施形態のディストリビュータ６は、中心線Ｏを中心とした円環平板状とされて、その外径は押出板５よりも小さくされるとともに、内径はスラリー供給管４の開口端部４Ａの外径よりも僅かに大きくされ、この内径部が開口端部４Ａと径方向に僅かな隙間をあけるようにして該開口端部４Ａを取り囲み、スラリー供給管４がディストリビュータ６の後退方向を向く側面に臨んで開口するように配設されている。
【００２６】
これに対して、図１ないし図４に示す第１ないし第４の実施形態では、上記ディストリビュータ６に、スラリー供給管４の上記開口端部４Ａよりもさらに後退方向に延出する延出部６Ａが、この開口端部４Ａよりも外周側に設けられている。なお、これら第１ないし第４の実施形態では、ディストリビュータ６を支持する支持軸５Ａは、この延出部６Ａの内周面から内周側に間隔をあけて配置されている。
【００２７】
このうち、図１ないし図３に示す第１ないし第３の実施形態では、第５の実施形態と同様の円環平板状のディストリビュータ６の外周縁に、内周面が中心線Ｏを中心とした円筒面状をなす周壁部が、押出板５の前進方向を向く側面と間隔をあけて一体に形成されており、この周壁部が延出部６Ａとされている。なお、図１および図２に示す第１および第２の実施形態では、ディストリビュータ６の外周面も延出部６Ａを含めて中心線Ｏを中心とした円筒面状とされる一方、図３に示す第３の実施形態のディストリビュータ６の外周面は前進方向側に向かうに従い外周側に向けて傾斜する中心線Ｏを中心とした円錐面状とされている。
【００２８】
また、図４に示す第４の実施形態では、スラリー供給管４の開口端部４Ａが下向きに傾斜した位置にあって第１ないし第３および第５の実施形態よりも大きな間隔を押出板５との間にあけている。そして、第４の実施形態のディストリビュータ６は、この開口端部４Ａの外周から後退方向に向かうに従い内外径が漸次大きくなる中心線Ｏを中心とした円錐筒状をなし、押出板５の前進方向を向く側面の手前で中心線Ｏを中心とした円筒状となるように形成されており、すなわちその全体がこの開口端部４Ａの外周から後退方向に延出する延出部６Ａとされている。
【００２９】
従って、これら第１ないし第４の実施形態では、ディストリビュータ６の延出部６Ａの内周面は、少なくとも後退方向側の部分ではいずれも中心線Ｏを中心とした円筒面状とされることになる。また、このディストリビュータ６の後退方向側の端縁は、第１ないし第４の実施形態のようにディストリビュータ６が延出部６Ａを備えている場合には、この延出部６Ａの後退方向側の端縁となる。さらに、第５の実施形態のようにディストリビュータ６が延出部６Ａを備えていない場合は、ディストリビュータ６の後退方向を向く側面となる。
【００３０】
さらに、押出板５の前進方向を向く上記側面には、ディストリビュータ６の外周側に、このディストリビュータ６を取り囲むようにスラリーを予備的に濃縮するプレシックナ７が設けられている。このプレシックナ７は、前進方向側に向かうに従い外周側に向けて傾斜するように配設されたワイヤスクリーンのような傾斜濾過スクリーン７Ａによってスラリーを濾過して濃縮するものであり、第１ないし第５の実施形態では傾斜濾過スクリーン７Ａはディストリビュータ６の外周側に間隔をあけた中心線Ｏを中心とする円錐面状とされている。
【００３１】
そして、このプレシックナ７において、上記傾斜濾過スクリーン７Ａは、ディストリビュータ６の上記後退方向の端縁よりも後退方向側においては、プレシックナ７の内周に露出しないようにされている。言い換えれば、傾斜濾過スクリーン７Ａは、ディストリビュータ６の上記後退方向の端縁より前進方向側においてのみプレシックナ７の内周に露出してスラリーを予備的に濃縮することになる。
【００３２】
ここで、図１および図３ないし図５に示す第１および第３ないし第５の実施形態では、傾斜濾過スクリーン７Ａ自体は、押出板５の前進方向を向く上記側面から前進方向側に向けて、ディストリビュータ６の上記後退方向の端縁の位置を越えて延びるようにされている。そして、このうち、中心線Ｏ方向において押出板５の上記側面からディストリビュータ６の上記後退方向の端縁の位置までの範囲は、傾斜濾過スクリーン７Ａの内周にカバー７Ｂが取り付けられることによって被覆されており、これによって傾斜濾過スクリーン７Ａがプレシックナ７の内周に露出しないようにされている。
【００３３】
なお、このカバー７Ｂは、その傾斜濾過スクリーン７Ａを被覆する部分が、傾斜濾過スクリーン７Ａと等しい傾斜で前進方向に向かうに従い外周側に傾斜する円錐面状とされており、傾斜濾過スクリーン７Ａの内周面に密着して被覆するようにされている。また、カバー７Ｂは、図１および図５に示す第１および第５の実施形態では、中心線の方向において押出板５の上記側面からディストリビュータ６の上記後退方向の端縁の位置までを被覆するようにされているのに対し、図３および図４に示す第３および第４の実施形態では、ディストリビュータ６の上記後退方向の端縁の位置を越えた前進方向側の位置までを被覆するようにされている。
【００３４】
一方、図２に示す第２の実施形態では、プレシックナ７が押出板５の前進方向を向く上記側面から同前進方向において少なくともディストリビュータ６の上記後退方向の端縁までの範囲に延びる壁部７Ｃを備えており、傾斜濾過スクリーン７Ａは、この壁部７Ｃの前進方向側の縁部からさらに前進方向に延びるように配設されることによって、この開口端よりも後退方向側においてはプレシックナ７の内周に露出しないようにされている。ここで、壁部７Ｃは、傾斜濾過スクリーン７Ａと等しい傾斜で前進方向に向かうに従い外周側に傾斜する円錐面状とされており、プレシックナ７の傾斜濾過スクリーン７Ａと壁部７Ｃとは１つの円錐面をなすようにされている。
【００３５】
なお、これらのカバー７Ｂや壁部７Ｃは、押出板５の前進方向を向く側面に着脱可能とされた部材とされていてもよく、また押出板５に一体に形成あるいは接合されていてもよい。また、プレシックナ７の傾斜濾過スクリーン７Ａの前進方向側の端部には、内バスケット２の円筒状濾過スクリーン２Ｂの内径よりも僅かに小さな外径を有する円環状のスクレーパ８が、図示されない支持軸を介して押出板５に支持されて取り付けられている。
【００３６】
このように構成された押出式遠心分離機において、スラリー供給管４を流下してディストリビュータ６と押出板５との間に供給されたスラリーは、内外バスケット１、２と一体に高速回転するこれらディストリビュータ６と押出板５との間から遠心力によって加速されて外周側に吐出され、プレシックナ７に供給される。そして、このときスラリーに固形分として高硬度の物質や比重、粒径の大きな物質が含まれていても、ディストリビュータ６の上記後退方向の端縁よりも内バスケット２の後退方向側においては、傾斜濾過スクリーン７Ａがプレシックナ７の内周には露出していないので、このような物質が傾斜濾過スクリーン７Ａに直接衝突するのを避けることができる。
【００３７】
従って、上記構成の押出式遠心分離機よれば、高硬度あるいは比重、粒径が大きな物質によって傾斜濾過スクリーン７Ａが疲労破壊により早期に破損してしまうのを防ぐことができ、このような物質を含有するスラリーを処理する場合でも、長期に亙って安定した固液分離を図ることが可能となる。このため、粒径や比重の大きい結晶系の物質を含むスラリーでもプレシックナ７によって予備濃縮することができ、このような物質の結晶破砕を防止することが可能となる。
【００３８】
また、このように傾斜濾過スクリーン７Ａがディストリビュータ６の上記後退方向の端縁よりも後退方向側においてはプレシックナ７の内周に露出しないようにするのに、この傾斜濾過スクリーン７Ａの内周をカバー７Ｂで被覆した第１および第３ないし第５の実施形態では、特にこのカバー７Ｂを押出板５の上記前進方向を向く側面に着脱可能な部材によって形成することにより、既設の押出式遠心分離機にも本発明を容易に適用することが可能となる。
【００３９】
一方、押出板５の上記側面から上記前進方向において少なくともディストリビュータ６の上記後退方向の端縁までの範囲に延びる壁部７Ｃをプレシックナ７に備えて、傾斜濾過スクリーン７Ａをこの壁部７Ｃの前進方向側の縁部からさらに前進方向に延びるように配設した第２の実施形態によれば、この壁部７Ｃの厚さを厚くすることができるので、上述のような高硬度の物質や比重、粒径の大きな物質によって傾斜濾過スクリーン７Ａ以外の部分でプレシックナ７自体が損傷するのを防ぐことができる。
【００４０】
また、これら第１ないし第５の実施形態のように傾斜したカバー７Ｂや壁部７Ｃをプレシックナ７に設けることにより、この傾斜に沿ってスラリーは遠心力によってさらに加速されてから傾斜濾過スクリーン７Ａに達するので、内外バスケット１、２と一体に高速回転する傾斜濾過スクリーン７Ａとスラリーとの速度差を小さくして、スラリーが達した際の衝撃を緩和することができる。このため、傾斜濾過スクリーン７Ａの破損を一層確実に防止することができる。
【００４１】
さらに、第１ないし第５の実施形態では、押出板５の上記側面と間隔をあけてスラリー供給管４の開口端部４Ａを取り囲むようにディストリビュータ６が設けられており、これら押出板５とディストリビュータ６との間にスラリーを供給することによっても、遠心力によってスラリーを加速してプレシックナ７に供給することができる。従って、上記と同様にスラリーと傾斜濾過スクリーン７Ａとの速度差を小さくして衝撃を緩和し、傾斜濾過スクリーン７Ａの破損をさらに確実に防止することができる。
【００４２】
さらにまた、図３に示した第３の実施形態においては、このディストリビュータ６の外周面が前進方向側に向かうに従い外周側に向けて傾斜させられており、同じく前進方向側に向かうに従い外周側に向けて傾斜したプレシックナ７の傾斜濾過スクリーン７Ａにディストリビュータ６の外周面を対向させて、これらディストリビュータ６の外周面と傾斜濾過スクリーン７Ａとの間のスラリーや固形分の流路を制限することが可能となる。
【００４３】
従って、この第３の実施形態によれば、プレシックナ７によって予備的に濃縮されたスラリーの固形分が、傾斜濾過スクリーン７Ａから跳ね上がるように飛散するのを、上述のように流路を制限するディストリビュータ６の外周面によって防ぐことが可能となる。このため、こうして飛散した固形分が内外バスケット１、２等に衝突することによって固形分中の結晶が破砕されてしまうのも防ぐことができ、粒径等の大きな結晶を含む固形分を確実に分離することが可能となる。
【００４４】
また、この第３の実施形態も含めて第１ないし第４の実施形態では、ディストリビュータ６が後退方向に延出する延出部６Ａをスラリー供給管４の開口端部４Ａよりも外周側に備えており、この延出部６Ａの内周面は、少なくとも後退方向側で中心線Ｏを中心とした円筒面状とされている。従って、このディストリビュータ６と押出板５との間に供給されたスラリーのうち延出部６Ａ内のスラリーは、遠心力によって延出部６Ａの内周面に一旦保持された後に、この延出部６Ａの後退方向の上記開口端からプレシックナ７に供給される。
【００４５】
このため、図５に示した第５の実施形態のように、押出板５とディストリビュータ６との間に供給されたスラリーがそのまま遠心力によって吐出してプレシックナ７に供給されることにより、ディストリビュータ６を支持する支持軸５Ａの外周側では支持軸５Ａに遮られてスラリー供給量が少なく、支持軸５Ａの間の部分ではスラリー供給量が多くなるような不均一が生じるのを避けることができる。
【００４６】
すなわち、上記第１ないし第４の実施形態によれば、スラリーを均一に分散させてプレシックナ７に供給することができ、これによってもプレシックナ７の損傷を防ぐことができる。また、こうしてプレシックナ７にスラリーを均一に分散させて供給することができるため、このプレシックナ７の傾斜濾過スクリーン７Ａによって効率的な予備濃縮を行うことも可能となる。
【符号の説明】
【００４７】
１  外バスケット
１Ｂ、２Ｂ  円筒状濾過スクリーン
２  内バスケット
３  ケーシング
４  スラリー供給管
４Ａ  スラリー供給管４の開口端部
５  押出板
６  ディストリビュータ
６Ａ  ディストリビュータ６の延出部
７  プレシックナ
７Ａ  傾斜濾過スクリーン
７Ｂ  カバー
７Ｃ  壁部
８  スクレーパ
Ｏ  内外バスケット１、２の中心線
【図１】
2014091093.tif 000003
【図２】
2014091093.tif 000004
【図３】
2014091093.tif 000005
【図４】
2014091093.tif 000006
【図５】
2014091093.tif 000007